(57)【特許請求の範囲】
【請求項１】
直方体状のケースに収容され、前記ケースの両端部から延びる取付部を有し、同じく中央部に入出力端子および分岐、分配用端子を有するＴＶ信号分岐分配用直列ユニットにおいて、
前記ケースの長手方向中央部に設けられ、前記ケースの１つの側方から同軸ケーブルの芯線および編組を直接繋ぎ込むための入出力端子と、
前記入出力端子と前記取付部との間に設けられ、同軸コネクタが接続される分岐、分配端子と、
をそなえたことを特徴とするＴＶ信号分岐分配用直列ユニット。
【請求項２】
請求項１記載のＴＶ信号分岐分配用直列ユニットにおいて、
前記入出力端子は、前記ケースの１つの側方で一端が回動自在に支持され、他端が前記ケースに対してネジ止めされる蓋を有し、
この蓋により前記同軸ケーブルの編組および被覆を固定するようにしたＴＶ信号分岐分配用直列ユニット。
【請求項３】
請求項２記載のＴＶ信号分岐分配器用直列ユニットにおいて、
前記入出力端子は、前記ケースに対して互いに逆向きの斜めに配された一対の同軸ケーブル案内路を有するＴＶ信号分岐分配用直列ユニット。
【請求項４】
請求項１記載のＴＶ信号分岐分配用直列ユニットにおいて、
前記ケースは、前記取付部の中心位置に対して幅方向の何れか一方に偏って配置されているＴＶ信号分岐分配用直列ユニット。
【発明の詳細な説明】
【０００１】
【発明の属する技術分野】
本発明は、ＴＶ放送共聴設備などに用いられる、ＴＶ信号を分岐分配するための直列ユニットに係り、とくに同軸ケーブルの接続作業を簡単化するためのＴＶ信号分岐分配用直列ユニットに関する。
【０００２】
【従来の技術】
この種のＴＶ信号分岐分配用直列ユニットは、図６（ａ）、（ｂ）、（ｃ）および図７（ａ）、（ｂ）、（ｃ）、（ｄ）に示すように、ほぼ直方体状に構成されている。そして、これらは長手方向に関して左右対称の形をしており、入出力端子がケース側面にあったり、ケースの裏面にあるものがある。
【０００３】
すなわち、図６は、ケース１の側面に入出力端子ＩＮ，ＯＵＴを配置した直列ユニットを示す。この場合は、入力端子ＩＮは正面に向かって右側側面に、出力端子ＯＵＴは正面に向かって左側側面に配置されている。埋め込みボックスに取付けて設置する場合は、これらの入出力端子ＩＮ，ＯＵＴは壁の中に入り、壁の内部に配線された同軸ケーブルが接続される。壁の表面に露出するＴＶ端子は、この例ではＢＲ（ブランチ）として説明されている。
【０００４】
入出力の同軸ケーブル（図示せず）は、芯線がねじで端子ＩＮ，ＯＵＴに固定されるとともに、外部導体の上からオ一ムバンド２によって固定される。そして、図７は，シールド型の直列ユニットを示しており、入出力端子ＩＮ，ＯＵＴは、Ｆ型の接栓となっていてケースの裏側に位置している、
【０００５】
【発明が解決しようとする課題】
まず図６の場合には、入出力端子ＩＮ，ＯＵＴの芯線が露出形であるので、シールド効果はない。また、側面に入出力端子ＩＮ，ＯＵＴがあるために、ケースを埋め込みボックスに取り付ける前に、予め入出力の同軸ケーブルを接続しておいてボックスに収納することになり、ケーブルのねじれや端子の緩み、場合によっては同軸ケーブルの外れが発生することもある。また、入出力の同軸ケーブルの取付に問題があると思われるときは、ケースをボックスから外して点検しなければならない。
【０００６】
他方、図７の場合には、ケースはダイカスト製であり、入出力端子ＩＮ，ＯＵＴもＦ型になっているためにシールド効果は確保されている。ただし、Ｆ形接栓のプラグのスペースを確保するために、ケース裏側に通常は垂直方向の下向きに接栓を配置する必要があり、奥行きが深くならざるを得ない。このため、浅い形の埋め込みボックスには設置できない問題が生じる。しかも、ボックス内で同軸ケーブルを接栓の方向とは反対の方向、つまり上向きに引き出すことは不可能である。
【０００７】
本発明は上述の点を考慮してなされたもので、外形が太く嵩張る同軸ケーブルにあっても、配線工事がし易く、浅い形の埋め込みボックスにもケースおよび同軸ケーブルが無理なく収まるような直列ユニットを提供することを目的とする。
【０００８】
【課題解決のための手段】
上記目的達成のため、本発明では、
直方体状のケースに収容され、前記ケースの両端部から延びる取付部を有し、同じく中央部に入出力端子および分岐、分配用端子を有するＴＶ信号分岐分配用直列ユニットにおいて、前記ケースの長手方向中央部に設けられ、前記ケースの１つの側方から同軸ケーブルの芯線および編組を直接繋ぎ込むための入出力端子と、前記入出力端子と前記取付部との間に設けられ、同軸コネクタが接続される分岐、分配端子と、
をそなえたことを特徴とするＴＶ信号分岐分配用直列ユニット、
を提供するものである。
【０００９】
【発明の実施の形態】
図１は、本発明の一実施例を説明するための斜視図である。この実施例では、中央部にＴＶ信号が入力される入力端子１１およびＴＶ信号が出力される出力端子１２が長手方向に沿って配されており、その両側にＴＶ端子１３，１４が配されている。入力端子１１には、アンテナからの信号が入力され、ＴＶ端子１３，１４に分岐出力されるとともに、出力端子１２に出力される。出力端子１２には、次の直列ユニットが接続される。
【００１０】
入出力端子１１，１２には、同軸ケーブル１７，１８が接続される。すなわち、同軸ケーブル１７，１８の芯線は、ねじ１１−１で端子金具１１−２に圧接され、この端子金具１１−２は電気回路が構成されるプリント基板（図示せず）に接続されている。同軸ケーブル１７，１８の外部導体つまり編組は、同軸ケーブル押え金具１５によってケース１９との間に挟み付けられ、電気的に接続されるとともに、機械的に固定される。また、この図１から分かるように、同軸ケーブル１７，１８の挿入口がそれぞれ角度が付いており、埋め込みボックス内で同軸ケーブルの処理がし易くなっている。
【００１１】
同軸ケーブル押え金具１５は、ねじ２１がケース１９に設けられたねじ穴１６に係合することによって強く押さえ付けられる。同軸ケーブル押え金具１５には、接触金具１５−１がカシメによって取付けられている。そして、この接触金具１５−１が、同軸ケーブルが接続される入出力端子１１，１２の周囲を囲うように形成されたリブ２４との間で、同軸ケーブル押え金具１５を電気的に多くの個所で接触させ、同軸ケーブル１７，１８の接続部分からの高周波信号の漏れや外部からのノイズの侵入を防ぐ働きをする。
【００１２】
ＴＶ端子１３，１４は室内側に面しており、ＴＶ受像機やＶＴＲなどに接続される。この実施例では、Ｆ形接栓で、その中心コンタクトはプリント基板に直接接続され、信号の授受を行う。また、外部コンタクトはケース１９と一体に形成されており、高周波信号の漏れやノイズの侵入を防ぐように成っている。
【００１３】
そして、ケース１９と一体的に構成された取付部２２，２３は、埋め込みボックスや壁面にケースを固定したり化粧フレートを取付けるものであり、長穴２２−１，２３−１によりケース１９を埋め込みボックス（図示せず）に取付け、めねじが切られたねじ穴２２−２，２３−２により化粧プレートを取付ける。ねじ穴２３−３，２３−４は、ケースを壁面に取付けるときに用いる。
【００１４】
図２は、ケース１９の内部構造を示すため、ケース１９を部分的に破断して示したものである。この図２に示すように、入出力端子１１，１２、ＴＶ端子１３，１４の外部導体、取付部２２，２３は、ケース１９と一体に形成されている。このケース１９に対して、電気回路を形成するプリント基板２５が半田付けされている。そして、最後にケース蓋２６が圧嵌めされて全体的にシールド構造を形成するようになっている。このため、ケース１９の内部へのノイズ侵入、外部への信号漏洩は効果的に防止される。
【００１５】
図３は、同軸ケーブル押さえ金具１５の構造を分解図示したものである。同軸ケーブル押え金具１５は、ねじ２１がケース１９に設けられたねじ穴１６に係合することによって強く押さえ付けられる。
【００１６】
同軸ケーブル押え金具１５には、接触金具１５−１がカシメによって取付けられている。この接触金具１５−１は、接触金具１５−１に明けられた穴１５−３に、同軸ケーブル押え金具１５と一体に成形された突起１５−２をはめ込み、その後突起１５−２をカシメて固定されている。
【００１７】
そして、この接触金具１５−１が、同軸ケーブルが接続される入出力端子１１，１２の周囲を囲うように形成されたリブ２４との間で、同軸ケーブル押え金具１５を電気的に多くの個所で接触させ、同軸ケーブル１７，１８の接続部分からの高周波信号の漏れや外部のノイズの侵入を防ぐ働きをする。
【００１８】
図４は、本発明の実施例を、取り付け部２２，２３を用いて埋め込みボックス３０に組み込んだ状態を示したものである。埋め込みボックス３０の中央に直列ユニットを設け、同軸ケーブル１７，１８を埋め込みボックスの図示手前側に折り曲げながら収容し、埋め込みボックスの両端部の穴から外部に引き出す。
【００１９】
図５は、ケース１９をＴＶ端子１３，１４側から見た平面図であり、ＴＶ端子１３，１４や埋め込みボックスへの取付け穴２２−１、２３−１を左右の中心とした場合、ケース１９が図示上側に偏らせて配置されている部分が図示下側のの部分より大きくできているために、埋め込みボックス内で同軸ケーブルが占める空間を大きく取ることができ、延いては取付工事がし易くなる。
【００２０】
端子台がＴＶ端子１３，１４側にあるために、ケース１９を壁や埋め込みボックスに固定した後で入出力の同軸ケーブル１７，１８を接続し、埋め込みボックス内に押し込むこともできて便利である。その上、最後に入出力の同軸ケーブル１７，１８の接続状態を確認することができる。
【００２１】
電気回略を構成するプリント基板に対して入出力端子１１，１２もＴＶ端子１３，１４も同じ方向に形成することができるために、ケース蓋２６をかぶせる前の入出力端子１１，１２もＴＶ端子１３，１４も半田付けを同じ方向からできる。その上、プリント基板２５の面上の部品の調整も、全てを半田付けした状態で実施することができる。
【００２２】
この種の高周波回路においては、高周波トランスの巻き線の間隔等を変えて高周波特性を調整することが行われるため、このような構造にすることは大きなメリットがある。
【００２３】
【発明の効果】
本発明は上述のように構成したため、次のような効果を奏する。
まず入出力端子を前面に配置することによって、ケースを壁面に取付けてからでも同軸ケーブルの接続ができる。そして、同軸ケーブルの接続状態が最後に確認できるため、同軸ケーブルの短絡、接触不良が容易に確認できる。
【００２４】
また、化粧パネルを取り付けた後でも、化粧パネルを外せば端子部分が見えるために簡単に確認することができる。これらは、芯線部分に窓を開けておけば目視確認できるし、同軸ケーブル押え金具の芯線に相当する部分に窓を開けておけば、設置後でも芯線止めねじを増し締めすることもできる。
【００２５】
そして、ケースを偏らせて配置することにより埋め込みボックス内でケーブルを折り返す空間を大きく確保できる。このために、直径の太い同軸ケーブルでも、埋め込みボックス内でケーブルの引き回しが容易になる。
【図面の簡単な説明】
【図１】本発明の一実施例に同軸ケーブルを接続した状態を示す斜視図。
【図２】図１の実施例におけるケース内部を示す部分断面図。
【図３】図１の実施例における同軸ケーブル押さえ金具１５の構造を分解図示した説明図。
【図４】図１の実施例を埋め込みボックスに組み込んだ状態を示す部分断面図。
【図５】図１の実施例におけるケース１９をＴＶ端子１３，１４側から見た平面図。
【図６】図６（ａ）、（ｂ）、（ｃ）は、従来のＴＶ信号分岐分配用直列ユニットの一例を示す正面図、側面図および底面図。
【図７】図７（ａ）、（ｂ）、（ｃ）、（ｄ）は、従来のＴＶ信号分配用直列ユニットの他の例を示す正面図、底面図、側断面図、側面図。
【符号の説明】
１  ケース
２  オームバンド
１１  入力端子
１１−１  ねじ
１１−２  接続金具
１２  出力端子
１２−１  ねじ
１２−２  接続金具
１３，１４  ＴＶ端子
１５  同軸ケーブル押さえ金具
１５−１  接触金具
１５−２  突起
１５−３  穴
１６  ねじ穴
１７，１８  同軸ケーブル
１９  ケース
２２，２３  取付部
２４  リブ
２５  プリント基板
２６  ケース蓋
３０  埋め込みボックス
ＩＮ  入力端子
ＯＵＴ  出力端子
【図１】
0003860916.tif 000002
【図２】
0003860916.tif 000003
【図３】
0003860916.tif 000004
【図４】
0003860916.tif 000005
【図５】
0003860916.tif 000006
【図６】
0003860916.tif 000007
【図７】
0003860916.tif 000008